(57)【要約】【課題】バックライトによるディスプレイの再点灯時に、できるだけ利用者に有益な情報を提供すること。【解決手段】１つの態様において、携帯電子機器は、情報を表示する表示部と、移動状態を判定する判定部と、前記判定部により判定された移動状態に基づいて、前記表示部を点灯した際に表示する情報を決定する制御部とを有する。携帯電子機器（例えば、スマートフォン）はスリープ状態にある場合、加速度センサ、方位センサ及びジャイロスコープの検出結果に基づいて、スマートフォンの移動状態を判定する。携帯電子機器（例えば、スマートフォン）は、例えば、電車で移動しているか、徒歩で移動しているか、あるいは自動車で移動しているかを判定する。携帯電子機器（例えば、スマートフォン）は、スリープ状態から復帰してディスプレイ２Ａを再点灯させる際に、ディスプレイ２Ａに移動状態（例えば、電車、自動車、徒歩）に対応する情報を表示させる。【選択図】図１
2015142321.tif 000002
【特許請求の範囲】
【請求項１】
情報を表示する表示部と、
移動状態を判定する制御部と
を有し、
前記制御部は、前記移動状態に基づいて、前記表示部を点灯した際に表示する情報を決定する携帯電子機器。
【請求項２】
位置情報を取得する取得部をさらに有し、
前記制御部は、前記移動状態及び前記位置情報に基づいて、前記表示部に表示する情報を決定する請求項１に記載の携帯電子機器。
【請求項３】
前記制御部は、前記移動状態の遷移に基づいて、前記表示部に表示する情報を決定する請求項１に記載の携帯電子機器。
【請求項４】
表示部を有する携帯電子機器によって実行される表示制御方法であって、
移動状態を判定するステップと、
前記移動状態に基づいて、前記表示部を点灯した際に表示する情報を変更するステップと
を含む表示制御方法。
【請求項５】
表示部を有する携帯電子機器に、
移動状態を判定するステップと、
前記移動状態に基づいて、前記表示部を点灯した際に表示する情報を変更するステップと
を実行させる表示制御プログラム。
【発明の詳細な説明】
【技術分野】
【０００１】
本出願は、携帯電子機器、表示制御方法及び表示制御プログラムに関する。
【背景技術】
【０００２】
従来、携帯電話、スマートフォンなどの携帯電子機器には、不使用時に、ディスプレイを点灯状態にするバックライトを消灯させる制御を行うものがある。例えば、特許文献１には、複数のモードごとにディスプレイを点灯させるバックライトの点灯時間を設定する情報端末装置及びバックライト制御プログラムが開示されている。
【先行技術文献】
【特許文献】
【０００３】
【特許文献１】特開２００２−３５７６８３号公報
【発明の概要】
【発明が解決しようとする課題】
【０００４】
ところで、上記携帯電子機器は、所定の操作を受け付けると、消灯状態のディスプレイをバックライトにより再点灯させる。その際、ディスプレイにはホーム画面などの所定の画面がいつも表示される状況にある。
【０００５】
上記のことから、バックライトによるディスプレイの再点灯時に、できるだけ利用者に有益な情報を提供できる携帯電子機器、表示制御方法及び表示制御プログラムを提供する必要がある。
【課題を解決するための手段】
【０００６】
１つの態様に係る携帯電子機器は、情報を表示する表示部と、移動状態を判定する判定部と、前記判定部により判定された移動状態に基づいて、前記表示部を点灯した際に表示する情報を変更する制御部とを有する。
【０００７】
１つの態様に係る表示制御方法は、表示部を有する携帯電子機器によって実行される表示制御方法であって、移動状態を判定するステップと、前記移動状態に基づいて、前記表示部を点灯した際に表示する情報を変更するステップとを含む。
【０００８】
１つの態様に係る表示制御プログラムは、表示部を有する携帯電子機器に、移動状態を判定するステップと、前記移動状態に基づいて、前記表示部を点灯した際に表示する情報を変更するステップとを実行させる。
【図面の簡単な説明】
【０００９】
【図１】図１は、実施形態に係るスマートフォンの機能構成を示すブロック図である。
【図２】図２は、スマートフォンにより実行される制御を説明するための図である。
【図３】図３は、移動状態が電車による移動であるとスマートフォンが判定したときの情報の表示制御の例を示す図である。
【図４】図４は、移動状態が電車による移動であるとスマートフォンが判定したときの情報の表示制御の他の例を示す図である。
【図５】図５は、移動状態が電車による移動であるとスマートフォンが判定したときの情報の表示制御の他の例を示す図である。
【図６】図６は、移動状態が自動車による移動であるとスマートフォンが判定したときの情報の表示制御の例を示す図である。
【図７】図７は、移動状態が徒歩による移動であるとスマートフォンが判定したときの情報の表示制御の例を示す図である。
【図８】図８は、実施形態に係るスマートフォンによる処理の流れを示すフローチャートである。
【図９】図９は、実施形態に係るスマートフォンによる処理の流れを示すフローチャートである。
【図１０】図１０は、実施形態に係るスマートフォンによる処理の流れを示すフローチャートである。
【発明を実施するための形態】
【００１０】
本発明を実施するための実施形態を、図面を参照しつつ詳細に説明する。以下では、本発明に係る携帯電子機器の一例として、スマートフォンについて説明する。
【００１１】
（実施形態）
実施形態に係るスマートフォン１の機能構成の一例を説明する。図１は、実施形態に係るスマートフォンの機能構成を示すブロック図である。以下の説明においては、同様の構成要素に同一の符号を付すことがある。さらに、重複する説明は省略することがある。
【００１２】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６と、ジャイロスコープ１７と、ＧＰＳ受信機１８とを備える。
【００１３】
タッチスクリーンディスプレイ２は、ディスプレイ２Ａと、タッチスクリーン２Ｂとを有する。ディスプレイ２Ａ及びタッチスクリーン２Ｂは、例えば、重ねて配置されてもよいし、並べて配置されてもよいし、離して配置されてもよい。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１４】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。ディスプレイ２Ａが表示する文字、画像、記号、及び図形等を含む画面には、ロック画面と呼ばれる画面、ホーム画面と呼ばれる画面、アプリケーションの実行中に表示されるアプリケーション画面が含まれる。ホーム画面は、デスクトップ、待受画面、アイドル画面、標準画面、アプリ一覧画面又はランチャー画面と呼ばれることもある。
【００１５】
実施形態において、ディスプレイ２Ａは、スマートフォン１の移動状態（スマートフォン１を携帯する利用者の移動状態）に基づいた情報を表示する。
【００１６】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等（以下、単に「指」という）がタッチスクリーン２Ｂに接触した位置を検出することができる。タッチスクリーン２Ｂは、タッチスクリーン２Ｂ（タッチスクリーンディスプレイ２）に対する指の接触を、接触された場所のタッチスクリーンディスプレイ２上での位置とともに、コントローラ１０に通知する。実施形態において、タッチスクリーン２Ｂは、ディスプレイ２Ａに表示される文字入力画面に対する指の接触、及び文字入力画面上での位置を、コントローラ１０に通知する。
【００１７】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１８】
コントローラ１０（スマートフォン１）は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。ジェスチャは、指を用いて、タッチスクリーン２Ｂ（タッチスクリーンディスプレイ２）に対して行われる操作である。コントローラ１０（スマートフォン１）が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１９】
ボタン３は、利用者からの操作入力を受け付ける。ボタン３の数は、単数であっても、複数であってもよい。
【００２０】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。
【００２１】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａが顔に近づけられたことを検出する。照度センサ４及び近接センサ５は、１つのセンサとして構成されていてもよい。照度センサ４は、近接センサとして用いられてもよい。
【００２２】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）がある。通信ユニット６は、上述した通信規格の１つ又は複数をサポートしていてもよい。
【００２３】
レシーバ７は、音出力部である。レシーバ７は、コントローラ１０から送信される音信号を音として出力する。レシーバ７は、例えば、通話時に相手の声を出力するために用いられる。マイク８は、音入力部である。マイク８は、利用者の音声等を音信号へ変換してコントローラ１０へ送信する。
【００２４】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２５】
ストレージ９に記憶されるプログラムには、フォアグランド又はバックグランドで実行されるアプリケーションと、アプリケーションの動作を支援する制御プログラムとが含まれる。フォアグランドで実行されるアプリケーションは、例えば、ディスプレイ２Ａに画面が表示される。制御プログラムには、例えば、ＯＳが含まれる。アプリケーション及び制御プログラムは、通信ユニット６による無線通信又は非一過的な記憶媒体を介してストレージ９にインストールされてもよい。
【００２６】
ストレージ９は、表示制御プログラム９Ａ、電話アプリケーション９Ｂ、メールアプリケーション９Ｃ、天気予報アプリケーション９Ｄ、電車案内アプリケーション９Ｅ、交通案内アプリケーション９Ｆ、健康管理アプリケーション９Ｇ、スケジュール管理アプリケーション９Ｈ、消費カロリデータ９Ｉ、地図データ９Ｊ、及び設定データ９Ｚなどを記憶する。
【００２７】
表示制御プログラム９Ａは、スマートフォン１の各種制御に関する機能を提供する。例えば、表示制御プログラム９Ａは、スマートフォン１の移動状態を判定するための機能を提供する。例えば、表示制御プログラム９Ａは、移動状態に基づいて、ディスプレイ２Ａを点灯した際に表示する情報を決定するための機能を提供する。例えば、表示制御プログラム９Ａは、移動状態及び位置情報に基づいて、ディスプレイ２Ａを点灯した際に表示する情報を決定するための機能を提供する。例えば、表示制御プログラム９Ａは、移動状態の遷移に基づいて、ディスプレイ２Ａを点灯した際に表示する情報を決定するための機能を提供する。
【００２８】
電話アプリケーション９Ｂは、無線通信による通話のための通話機能を提供する。メールアプリケーション９Ｃは、電子メールの作成、送信、受信、及び表示等のための電子メール機能を提供する。天気予報アプリケーション９Ｄは、天気に関する各種情報を提供するための機能を提供する。電車案内アプリケーション９Ｅは、電車の乗り換えなどに関する各種情報を提供するための機能を提供する。交通案内アプリケーション９Ｆは、渋滞及び事故などの道路の交通事情に関する道路交通情報を提供するための機能を提供する。健康管理アプリケーション９Ｇは、消費カロリなど健康に関する各種情報を提供するための機能を提供する。健康管理アプリケーション９Ｇは、例えば、利用者によって健康管理アプリケーションの実行が開始されてからの消費カロリを算出する。スケジュール管理アプリケーション９Ｈは、スケジュールに関する各種情報を提供するための機能を提供する。ストレージ９に記憶されるアプリケーションは一例に過ぎない。図１に示すもの以外に、メモアプリケーション、ブラウザアプリケーション、ナビゲートアプリケーション、音楽プレイヤーアプリケーション、動画再生アプリケーション、計算機アプリケーション、付箋アプリケーションなどが記憶されていてもよい。
【００２９】
消費カロリデータ９Ｉは、健康管理アプリケーション９Ｇにより提供される機能により計算された利用者の消費カロリのデータである。地図データ９Ｊは、地図データが管理されるデータベースのＵＲＬ（Ｕｎｉｆｏｒｍ  Ｒｅｓｏｕｒｃｅ  Ｌｏｃａｔｏｒ）などインターネット上のアドレスである。
【００３０】
設定データ９Ｚは、スマートフォン１の動作に関する各種設定の情報を含む。以下に説明する実施形態において、例えば、設定データ９Ｚには、移動状態に応じて、ディスプレイ２Ａの再点灯時にどのような情報を表示すべきかを示す設定情報が含まれる。この設定情報には、例えば、移動状態が電車による移動である場合に、電車案内アプリケーション９Ｅにより提供される最寄駅からの乗り換え案内を表示することが含まれる。この設定情報には、例えば、移動状態が自動車による移動である場合に、交通案内アプリケーション９Ｆにより提供される道路交通情報を表示することが含まれる。この設定情報には、例えば、移動状態が徒歩による移動である場合には、地図データ９Ｊから取得される利用者の現在位置付近の地図を表示させるためのアドレス（例えば、ＵＲＬ）、天気予報アプリケーション９Ｄにより提供される利用者の現在位置付近の天気情報、及び消費カロリデータ９Ｉから取得される利用者の現在までの消費カロリを表示することが含まれる。この設定情報には、例えば、移動状態が電車による移動である場合に、スケジュール管理アプリケーション９Ｈによって管理されているスケジュール（イベント）を加味して、最適な情報を表示することが含まれる。ディスプレイ２Ａの再点灯時にどのような情報を表示すべきかを示す設定情報は、任意に変更が可能であり、上述の内容は一例に過ぎない。
【００３１】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、スマートフォン１の動作を統括的に制御して各種の機能を実現する。コントローラ１０は、制御部の一例である。
【００３２】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、スピーカ１１、及びＧＰＳ受信機１８を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、及びジャイロスコープ１７を含むが、これらに限定されない。
【００３３】
コントローラ１０は、表示制御プログラム９Ａを実行することにより、例えば、スマートフォン１の移動状態を判定する処理を実行する。コントローラ１０は、表示制御プログラム９Ａを実行することにより、例えば、移動状態に基づいて、ディスプレイ２Ａを点灯した際に表示する情報を決定する処理を実行する。コントローラ１０は、表示制御プログラム９Ａを実行することにより、例えば、移動状態及び位置情報に基づいて、ディスプレイ２Ａを点灯した際に表示する情報を決定する処理を実行する。コントローラ１０は、表示制御プログラム９Ａを実行することにより、例えば、移動状態の遷移に基づいて、ディスプレイ２Ａを点灯した際に表示する情報を決定する処理を実行する。
【００３４】
スピーカ１１は、音出力部である。スピーカ１１は、コントローラ１０から送信される音信号を音として出力する。スピーカ１１は、例えば、着信音及び音楽を出力するために用いられる。レシーバ７及びスピーカ１１の一方が、他方の機能を兼ねてもよい。
【００３５】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態でスマートフォン１に実装されてもよい。
【００３６】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００３７】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。加速度センサ１５、方位センサ１６及びジャイロスコープ１７は、機能的及び物理的に統合された姿勢検出ユニットとしてスマートフォン１に実装されてもよい。
【００３８】
ＧＰＳ受信機１８は、ＧＰＳ衛星からの所定の周波数帯の電波信号を受信し、受信した電波信号の復調処理を行って、処理後の信号をコントローラ１０に送出する。
【００３９】
スマートフォン１は、上記の各機能部の他、バイブレータを備えてもよい。バイブレータは、スマートフォン１の一部又は全体を振動させる。バイブレータは、振動を発生させるために、例えば、圧電素子、又は偏心モータなどを有する。バイブレータによる振動は、着信等の各種のイベントを利用者に報知するために用いられる。図１には示していないが、バッテリなど、スマートフォン１の機能を維持するために当然に用いられる機能部はスマートフォン１に実装される。
【００４０】
続いて、図２〜図７を用いて、実施形態に係るスマートフォン１により実行される制御の一例について説明する。図３〜図７に示す例では、利用者の指Ｆ１がブラックアウトしたタッチスクリーンディスプレイ２をダブルタップする状態を示している。
【００４１】
図２は、スマートフォン１により実行される制御を説明するための図である。図２に示すように、スマートフォン１はスリープ状態にある場合、加速度センサ１５、方位センサ１６及びジャイロスコープ１７の検出結果に基づいて、スマートフォン１の移動状態を判定する。スマートフォン１は、例えば、電車で移動しているか、徒歩で移動しているか、あるいは自動車で移動しているかを判定する。続いて、スマートフォン１は、タッチスクリーン２Ｂを介して、１回目のタップが検出されるまでの間に、スマートフォン１の移動状態に基づいて、ディスプレイ２Ａに表示する情報を決定する。続いて、スマートフォン１は、タッチスクリーン２Ｂを介して、２回目のタップが検出されるまでの間に、ディスプレイ２Ａに表示する情報を取得する。そして、スマートフォン１は、２回目のタップを検出した場合、すなわち、ダブルタップの成立を検出した場合、スリープ状態から復帰してディスプレイ２Ａを再点灯させる際に、ディスプレイ２Ａに移動状態に対応する情報を表示させる。
【００４２】
図２に示す例において、スマートフォン１は、１回目のタップ検出後、２回目のタップが検出されなかった場合（ダブルタップの成立が検出されなかった場合）、１回目のタップ検出までの決定内容を取り消すとともに、当該決定内容に応じて取得した情報を消去し、改めてスマートフォン１の移動状態の判定を実行する。これにより、最新の移動状態（移動状態の遷移）に応じて、ディスプレイ２Ａに表示する情報が変更される。スマートフォン１は、ダブルタップの成立が検出されなかった場合、一定時間の間、１回目のタップ検出までの決定内容及び取得した情報を保持し、ダブルタップの検出されるのを待機してもよい。
【００４３】
図３は、移動状態が電車による移動であるとスマートフォン１が判定したときの情報の表示制御の例を示す図である。スマートフォン１は、所定の条件成立に伴い、スマートフォン１の動作状態をスリープ状態に遷移させ、タッチスクリーンディスプレイ２（ディスプレイ２Ａ）を消灯する（ステップＳ１１〜ステップＳ１２）。スリープ状態への遷移に伴い、タッチスクリーンディスプレイ２（ディスプレイ２Ａ）に表示されているホーム画面４０がブラックアウトする。
【００４４】
スリープ状態への遷移を契機として、スマートフォン１は、移動状態の判定を開始する。続いて、スマートフォン１は、タッチスクリーンディスプレイ２（タッチスクリーン２Ｂ）を介して、１回目のタップが検出されるまでの間、移動状態が電車による移動であると判定すると、電車による移動に応じた情報をタッチスクリーンディスプレイ２（ディスプレイ２Ａ）に表示する情報に決定する。例えば、スマートフォン１は、移動状態が電車による移動である場合には、電車案内アプリケーション９Ｅにより提供される最寄駅からの乗り換え案内を表示する情報に決定する。
【００４５】
続いて、スマートフォン１は、２回目のタップが検出されるまでの間にＧＰＳ受信機１８から取得した位置情報に基づいて、利用者が乗車中の電車の路線及び現在の最寄駅を特定し、電車案内アプリケーション９Ｅにより提供される情報に基づいて最寄駅からの乗り換え案内を取得する。
【００４６】
続いて、スマートフォン１は、ダブルタップを検出すると（ステップＳ１２）、スリープ状態から復帰して、タッチスクリーンディスプレイ２（ディスプレイ２Ａ）を再点灯させる際に、スリープ状態となる前のホーム画面４０には表示されていなかった電車の乗り換え案内の情報４０Ａを表示させる（ステップＳ１３）。
【００４７】
図３に示す例では、位置情報に応じて、利用者が乗車中の電車の路線及び現在の最寄駅を特定し、最寄駅からの乗り換え案内を表示する場合を説明したが、この例には限定されない。例えば、位置情報に基づいて路線及び最寄駅を特定することなく、移動状態が電車による移動であると判定した場合には、電車という移動状態に応じた情報として、単に各路線に関する情報（遅延、停止）などを表示するようにしてもよい。
【００４８】
図４は、移動状態が電車による移動であるとスマートフォン１が判断したときの情報の表示制御の他の例を示す図である。図４に示す例では、スケジュール管理アプリケーション９Ｈによって、１３時に特許庁にて会議の約束がある旨がイベントとして記録されているものとする。
【００４９】
スマートフォン１は、所定の条件成立に伴い、スマートフォン１の動作状態をスリープ状態に遷移させ、タッチスクリーンディスプレイ２（ディスプレイ２Ａ）を消灯する（ステップＳ２１〜ステップＳ２２）。スリープ状態への遷移に伴い、タッチスクリーンディスプレイ２（ディスプレイ２Ａ）に表示されているホーム画面４０がブラックアウトする。
【００５０】
スリープ状態への遷移を契機として、スマートフォン１は、移動状態の判定を開始する。続いて、スマートフォン１は、タッチスクリーンディスプレイ２（タッチスクリーン２Ｂ）を介して、１回目のタップが検出されるまでの間、移動状態が電車による移動であると判定すると、電車による移動に応じた情報をタッチスクリーンディスプレイ２（ディスプレイ２Ａ）に表示する情報に決定する。電車による移動に応じた情報を決定する際、スマートフォン１は、スケジュール管理アプリケーション９Ｈに記録されているイベントが所定の条件を満足する場合には、イベントを加味して最適であると推定される情報を選択する。例えば、スマートフォン１は、イベントの設定時刻が現在時刻から一定時間内（例えば、３０分以内）にあれば、イベントが所定の条件を満足するものと判定して、イベントを加味して最適であると推定される情報を選択する。
【００５１】
続いて、スマートフォン１は、２回目のタップが検出されるまでの間にＧＰＳ受信機１８から取得した位置情報に基づいて、利用者が乗車中の電車の路線及び現在の最寄駅を特定する。続いて、スマートフォン１は、スケジュール管理アプリケーション９Ｈに記録されているイベントの設定時刻（例えば、１３時）が現在時刻から一定時間内にあると判定した場合には、電車案内アプリケーション９Ｅから最寄駅における特許庁への出口案内を取得するとともに、地図データ９Ｊから特許庁付近の地図を取得するためのＵＲＬを取得する。
【００５２】
続いて、スマートフォン１は、ダブルタップを検出すると（ステップＳ２２）、スリープ状態から復帰してタッチスクリーンディスプレイ２（ディスプレイ２Ａ）を再点灯させる際に、スリープ状態となる前のホーム画面４０には表示されていなかった特許庁への出口案内４０Ｂ、及び特許庁付近の地図を表示させるための情報４０Ｃをタッチスクリーンディスプレイ２（ディスプレイ２Ａ）に表示させる（ステップＳ２３）。
【００５３】
図５は、移動状態が電車による移動であるとスマートフォン１が判定したときの情報の表示制御の他の例を示す図である。図５に示す例では、スケジュール管理アプリケーション９Ｈによって、１３時から特許庁にて審査官面談がある旨（及び審査官名）がイベントとして記録されているものとする。
【００５４】
スマートフォン１は、所定の条件成立に伴い、スマートフォン１の動作状態をスリープ状態に遷移させ、タッチスクリーンディスプレイ２（ディスプレイ２Ａ）を消灯する（ステップＳ３１〜ステップＳ３２）。スリープ状態への遷移に伴い、タッチスクリーンディスプレイ２（ディスプレイ２Ａ）に表示されているホーム画面４０がブラックアウトする。
【００５５】
スリープ状態への遷移を契機として、スマートフォン１は、移動状態の判定を開始する。続いて、スマートフォン１は、タッチスクリーンディスプレイ２（タッチスクリーン２Ｂ）を介して、１回目のタップが検出されるまでの間、移動状態が電車による移動であると判定すると、電車による移動に応じた情報をタッチスクリーンディスプレイ２（ディスプレイ２Ａ）に表示する情報に決定する。電車による移動に応じた情報を決定する際、スマートフォン１は、スケジュール管理アプリケーション９Ｈに記録されているイベントが所定の条件を満足する場合には、イベントを加味して最適であると推定される情報を選択する。例えば、スマートフォン１は、イベントの設定時刻が現在時刻から一定時間内（例えば、３０分以内）にあれば、イベントが所定の条件を満足するものと判定して、イベントを加味して最適であると推定される情報を選択する。
【００５６】
続いて、スマートフォン１は、２回目のタップが検出されるまでの間にＧＰＳ受信機１８から取得した位置情報に基づいて、利用者が乗車中の電車の路線及び現在の最寄駅を特定する。続いて、スマートフォン１は、スケジュール管理アプリケーション９Ｈに記録されているイベントの設定時刻（例えば、１３時）が現在時刻から一定時間内にあると判定した場合には、電車案内アプリケーション９Ｅから最寄駅における特許庁への出口案内を取得するとともに、スケジュール管理アプリケーション９Ｈに記録されているイベントの情報（例えば、「審査官面談  １３：００  （特許太郎審査官）」）を取得する。
【００５７】
続いて、スマートフォン１は、ダブルタップを検出すると（ステップＳ３２）、スリープ状態から復帰してタッチスクリーンディスプレイ２（ディスプレイ２Ａ）を再点灯させる際に、スリープ状態となる前のホーム画面４０には表示されていなかった特許庁への出口案内４０Ｄ、及びイベントの情報４０Ｅ（例えば、「審査官面談  １３：００  （特許太郎審査官）」）をタッチスクリーンディスプレイ２（ディスプレイ２Ａ）に表示させる（ステップＳ３３）。
【００５８】
図６は、移動状態が自動車による移動であるとスマートフォン１が判定したときの情報の表示制御の例を示す図である。スマートフォン１は、所定の条件成立に伴い、スマートフォン１の動作状態をスリープ状態に遷移させ、タッチスクリーンディスプレイ２（ディスプレイ２Ａ）を消灯する（ステップＳ４１〜ステップＳ４２）。スリープ状態への遷移に伴い、タッチスクリーンディスプレイ２（ディスプレイ２Ａ）に表示されているホーム画面４０がブラックアウトする。
【００５９】
スリープ状態への遷移を契機として、スマートフォン１は、移動状態の判定を開始する。続いて、スマートフォン１は、タッチスクリーンディスプレイ２（タッチスクリーン２Ｂ）を介して、１回目のタップが検出されるまでの間、移動状態が自動車による移動であると判定すると、自動車による移動に応じた情報をタッチスクリーンディスプレイ２（ディスプレイ２Ａ）に表示する情報に決定する。例えば、スマートフォン１は、移動状態が自動車による移動である場合には、交通案内アプリケーション９Ｆにより提供される道路交通情報を表示する情報に決定する。
【００６０】
続いて、スマートフォン１は、２回目のタップが検出されるまでの間にＧＰＳ受信機１８から取得した位置情報に基づいて、利用者が乗車中の自動車の走行中である道路を特定し、特定した道路に対応する道路交通情報を、交通案内アプリケーション９Ｆにより提供される道路交通情報から取得する。
【００６１】
続いて、スマートフォン１は、ダブルタップを検出すると（ステップＳ４２）、スリープ状態から復帰して、タッチスクリーンディスプレイ２（ディスプレイ２Ａ）を再点灯させる際に、スリープ状態となる前のホーム画面４０には表示されていなかった道路交通情報４０Ｆを表示させる（ステップＳ４３）。
【００６２】
図６に示す例では、位置情報に応じて、利用者が乗車中の自動車の走行中の道路を特定し、特定した道路に対応する道路交通情報を表示する場合を説明したが、この例には限定されない。例えば、位置情報に基づいて道路を特定することなく、移動状態が自動車による移動であると判定した場合には、自動車という移動状態に応じた情報として、単に各道路に関する情報（事故、渋滞）などを表示するようにしてもよい。
【００６３】
図７は、移動状態が徒歩による移動であるとスマートフォン１が判定したときの情報の表示制御の例を示す図である。スマートフォン１は、所定の条件成立に伴い、スマートフォン１の動作状態をスリープ状態に遷移させ、タッチスクリーンディスプレイ２（ディスプレイ２Ａ）を消灯する（ステップＳ５１〜ステップＳ５２）。スリープ状態への遷移に伴い、タッチスクリーンディスプレイ２（ディスプレイ２Ａ）に表示されているホーム画面４０がブラックアウトする。
【００６４】
スリープ状態への遷移を契機として、スマートフォン１は、移動状態の判定を開始する。続いて、スマートフォン１は、タッチスクリーンディスプレイ２（タッチスクリーン２Ｂ）を介して、１回目のタップが検出されるまでの間、移動状態が徒歩による移動であると判定すると、徒歩による移動に応じた情報をタッチスクリーンディスプレイ２（ディスプレイ２Ａ）に表示する情報に決定する。例えば、スマートフォン１は、移動状態が徒歩による移動である場合には、地図データ９Ｊから取得される利用者の現在位置付近の地図を表示させるためのＵＲＬ、天気予報アプリケーション９Ｄにより提供される利用者の現在位置付近の天気、及び消費カロリデータ９Ｉから取得される利用者の現在までの消費カロリを表示する情報に決定する。
【００６５】
続いて、スマートフォン１は、２回目のタップが検出されるまでの間にＧＰＳ受信機１８から取得した位置情報に基づいて、利用者の現在位置を特定する。続いて、スマートフォン１は、特定した利用者の現在位置に基づいて、利用者の現在位置付近の地図を表示させるためのＵＲＬを地図データ９Ｊから取得し、利用者の現在位置付近の天気情報を天気予報アプリケーション９Ｄから取得し、利用者の現在までの消費カロリを消費カロリデータ９Ｉから取得する。
【００６６】
続いて、スマートフォン１は、ダブルタップを検出すると（ステップＳ５２）、スリープ状態から復帰して、タッチスクリーンディスプレイ２（ディスプレイ２Ａ）を再点灯させる際に、スリープ状態となる前のホーム画面４０には表示されていなかった利用者の現在位置付近の地図を表示させるための情報４０Ｇ、利用者の現在位置付近の天気情報４０Ｈ、及び利用者の現在までの消費カロリ４０Ｉを表示させる（ステップＳ５３）。
【００６７】
図７に示す例では、位置情報に応じて、利用者の現在位置を特定し、特定した利用者の現在位置に基づいて、利用者の現在位置付近の地図を表示する場合を説明したが、この例には限定されない。例えば、位置情報に基づいて利用者の現在位置を特定することなく、移動状態が徒歩による移動であると判定した場合には、徒歩という移動状態に応じた情報として、単に消費カロリなどを表示するようにしてもよい。
【００６８】
図８〜図１０を参照しつつ、実施形態に係るスマートフォン１による処理の流れを説明する。図８〜図１０は、実施形態に係るスマートフォン１による処理の流れを示すフローチャートである。図８〜図１０に示す処理は、コントローラ１０が、ストレージ９に記憶されている表示制御プログラム９Ａなどを実行することにより実現される。
【００６９】
図８を用いて、移動状態に応じて表示する情報を決定する処理について説明する。図８に示すように、コントローラ１０は、スリープ状態であるかを判定する（ステップＳ１０１）。
【００７０】
コントローラ１０は、判定の結果、スリープ状態である場合には（ステップＳ１０１，Ｙｅｓ）、移動状態の判定を実行する（ステップＳ１０２）。コントローラ１０は、加速度センサ１５、方位センサ１６及びジャイロスコープ１７の検出結果に基づいて、スマートフォン１の移動状態を判定する。スマートフォン１は、例えば、電車で移動しているか、徒歩で移動しているか、あるいは自動車で移動しているかを判定する。
【００７１】
続いて、コントローラ１０は、移動状態に応じて、スリープ状態から復帰してディスプレイ２Ａを再点灯する際に表示する情報を決定する（ステップＳ１０３）。
【００７２】
続いて、コントローラ１０は、スリープ状態から復帰するかを判定する（ステップＳ１０４）。例えば、コントローラ１０は、タッチスクリーン２Ｂを介して、ダブルタップが検出されたかを判定する。
【００７３】
コントローラ１０は、判定の結果、ダブルタップの検出により、スリープ状態から復帰する場合には（ステップＳ１０４，Ｙｅｓ）、スリープ状態から復帰してディスプレイ２Ａを再点灯する際に、ステップＳ１０３で決定した情報（移動状態に応じた情報）をディスプレイ２Ａに表示し（ステップＳ１０５）、図８に示す処理を終了する。
【００７４】
一方、コントローラ１０は、判定の結果、ダブルタップの未検出により、スリープ状態から復帰しない場合には（ステップＳ１０４，Ｎｏ）、上記ステップＳ１０２に戻る。
【００７５】
上記ステップＳ１０１において、コントローラ１０は、判定の結果、スリープ状態ではない場合には（ステップＳ１０１，Ｎｏ）、図８に示す処理を終了する。
【００７６】
図９を用いて、移動状態及び位置情報に応じて表示する情報を決定する処理について説明する。図９に示すように、コントローラ１０は、スリープ状態であるかを判定する（ステップＳ２０１）。
【００７７】
コントローラ１０は、判定の結果、スリープ状態である場合には（ステップＳ２０１，Ｙｅｓ）、移動状態の判定を実行する（ステップＳ２０２）。コントローラ１０は、加速度センサ１５、方位センサ１６及びジャイロスコープ１７の検出結果に基づいて、スマートフォン１の移動状態を判定する。スマートフォン１は、例えば、電車で移動しているか、徒歩で移動しているか、あるいは自動車で移動しているかを判定する。
【００７８】
続いて、コントローラ１０は、ＧＰＳ受信機１８から位置情報を取得する（ステップＳ２０３）。
【００７９】
続いて、コントローラ１０は、移動状態及び位置情報に応じて、スリープ状態から復帰してディスプレイ２Ａを再点灯する際に表示する情報を決定する（ステップＳ２０４）。
【００８０】
続いて、コントローラ１０は、スリープ状態から復帰するかを判定する（ステップＳ２０５）。例えば、コントローラ１０は、タッチスクリーン２Ｂを介して、ダブルタップが検出されたかを判定する。
【００８１】
コントローラ１０は、判定の結果、ダブルタップを検出し、スリープ状態から復帰する場合には（ステップＳ２０５，Ｙｅｓ）、スリープ状態から復帰してディスプレイ２Ａを再点灯する際に、ステップＳ２０４で決定した情報（移動状態及び位置情報に応じた情報）をディスプレイ２Ａに表示し（ステップＳ２０６）、図９に示す処理を終了する。
【００８２】
一方、コントローラ１０は、判定の結果、ダブルタップの未検出により、スリープ状態から復帰しない場合には（ステップＳ２０５，Ｎｏ）、上記ステップＳ２０２に戻る。
【００８３】
上記ステップＳ２０１において、コントローラ１０は、判定の結果、スリープ状態ではない場合には（ステップＳ２０１，Ｎｏ）、図９に示す処理を終了する。
【００８４】
図１０を用いて、移動状態及び位置情報に応じて表示する情報を決定する処理について説明する。図１０に示すように、コントローラ１０は、スリープ状態であるかを判定する（ステップＳ３０１）。
【００８５】
コントローラ１０は、判定の結果、スリープ状態である場合には（ステップＳ３０１，Ｙｅｓ）、スケジュール管理アプリケーション９Ｈに管理されているスケジュール（イベント）を取得する（ステップＳ３０２）。スケジュールは、本日のスケジュールとして記録されているイベントを全て取得してもよいし、現在時刻周辺のイベントのみを取得してもよい。
【００８６】
続いて、コントローラ１０は、移動状態の判定を実行する（ステップＳ３０３）。コントローラ１０は、加速度センサ１５、方位センサ１６及びジャイロスコープ１７の検出結果に基づいて、スマートフォン１の移動状態を判定する。スマートフォン１は、例えば、電車で移動しているか、徒歩で移動しているか、あるいは自動車で移動しているかを判定する。
【００８７】
続いて、コントローラ１０は、ＧＰＳ受信機１８から位置情報を取得する（ステップＳ３０４）。
【００８８】
続いて、コントローラ１０は、移動状態、位置情報及びスケジュールに応じて、スリープ状態から復帰してディスプレイ２Ａを再点灯する際に表示する情報を決定する（ステップＳ３０５）。
【００８９】
続いて、コントローラ１０は、スリープ状態から復帰するかを判定する（ステップＳ３０６）。例えば、コントローラ１０は、タッチスクリーン２Ｂを介して、ダブルタップが検出されたかを判定する。
【００９０】
コントローラ１０は、判定の結果、ダブルタップを検出し、スリープ状態から復帰する場合には（ステップＳ３０６，Ｙｅｓ）、スリープ状態から復帰してディスプレイ２Ａを再点灯する際に、ステップＳ３０５で決定した情報（移動状態、位置情報及びスケジュールに応じた情報）をディスプレイ２Ａに表示し（ステップＳ３０７）、図１０に示す処理を終了する。
【００９１】
一方、コントローラ１０は、判定の結果、ダブルタップの未検出により、スリープ状態から復帰しない場合には（ステップＳ３０６，Ｎｏ）、上記ステップＳ３０３に戻る。
【００９２】
上記ステップＳ３０１において、コントローラ１０は、判定の結果、スリープ状態ではない場合には（ステップＳ３０１，Ｎｏ）、図１０に示す処理を終了する。
【００９３】
上記の実施形態では、スマートフォン１が、移動状態を判定し、スリープ状態から復帰してディスプレイ２Ａを再点灯させる際にディスプレイ２Ａに表示する情報を、移動状態に応じて決定する。このため、上記の実施形態によれば、バックライトによるディスプレイの再点灯時に、できるだけ利用者に有益な情報を提供できる。
【００９４】
上記の実施形態では、スマートフォン１が、移動状態を判定し、スリープ状態から復帰してディスプレイ２Ａを再点灯させる際にディスプレイ２Ａに表示する情報を、移動状態及び位置情報に応じて決定する。このため、上記の実施形態によれば、バックライトによるディスプレイの再点灯時に、利用者に有益かつ適切な情報を提供できる。
【００９５】
上記の実施形態では、スマートフォン１が、移動状態を判定し、スリープ状態から復帰してディスプレイ２Ａを再点灯させる際にディスプレイ２Ａに表示する情報を、移動状態、位置情報及びスケジュールに応じて決定する。このため、上記の実施形態によれば、バックライトによるディスプレイの再点灯時に、利用者に有益かつより適切な情報を提供できる。
【００９６】
上記の実施形態では、スマートフォン１が、スリープ状態から復帰するまで移動状態を繰り返し判定し、ディスプレイ２Ａに表示させる情報を変更する。このため、上記の実施形態によれば、移動状態に応じて、利用者の移動状態にできるだけ対応した情報を提供できる。
【００９７】
上記の実施形態において、スリープ状態から復帰してディスプレイ２Ａを再点灯する際に、ディスプレイ２Ａに表示する情報は、アイコン、ウィジェット、リンクなど種々の形態で表示してよい。
【００９８】
上記の実施形態では、ダブルタップの検出によりスリープ状態から復帰する例を説明したが、ボタン３などの物理ボタンに対する操作によりスリープ状態から復帰する場合にも、上記の表示制御（図８〜１０）を適用できる。
【００９９】
上記の実施形態では、ＧＰＳ受信機１８により受信される電波信号に基づいて位置情報を取得する例を説明したが、無線ＬＡＮ（Ｌｏｃａｌ  Ａｒｅａ  Ｎｅｔｗｏｒｋ）のスポットに基づいて位置情報を取得してもよい。
【０１００】
上記の実施形態では、添付の請求項に係る装置の例として、スマートフォンについて説明したが、添付の請求項に係る装置は、スマートフォンに限定されない。添付の請求項に係る装置は、バッテリ及びタッチスクリーン機能を備える携帯電話、タブレットなどの電子機器であれば、スマートフォン以外の装置であってもよい。
【０１０１】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【０１０２】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  表示制御プログラム
９Ｂ  電話アプリケーション
９Ｃ  メールアプリケーション
９Ｄ  天気予報アプリケーション
９Ｅ  電車案内アプリケーション
９Ｆ  交通案内アプリケーション
９Ｇ  健康管理アプリケーション
９Ｈ  スケジュール管理アプリケーション
９Ｉ  消費カロリデータ
９Ｊ  地図データ
９Ｚ  設定データ
１０  コントローラ
１１  スピーカ
１２  カメラ
１３  カメラ
１４  コネクタ
１５  加速度センサ
１６  方位センサ
１７  ジャイロスコープ
１８  ＧＰＳ受信機
【図１】
2015142321.tif 000003
【図２】
2015142321.tif 000004
【図３】
2015142321.tif 000005
【図４】
2015142321.tif 000006
【図５】
2015142321.tif 000007
【図６】
2015142321.tif 000008
【図７】
2015142321.tif 000009
【図８】
2015142321.tif 000010
【図９】
2015142321.tif 000011
【図１０】
2015142321.tif 000012